(57)【特許請求の範囲】
【請求項１】
着座者が腰掛けるための座面を有する座部を具備してなり、座部の前端部に、該前端部における上面の奥行き寸法を変更するように動作する可動部を形成し、その可動部を駆動することによって座面全体の奥行き寸法を変更し得るように構成しているものであって、
座部が、上面に座面を設定した可撓変形可能な座本体と、座本体を支持するとともに前端部を下方乃至後方へ湾曲し得るサポート部材とを具備するものであって、座本体及びサポート部材の前端部を前記可動部として設定し、サポート部材の湾曲に対応して座本体の前端部がサポート部材と一体的に湾曲し得るように構成しており、
サポート部材の前端部は下方に向けて湾曲し、その前端部の先端は湾曲しない部分のサポート部材よりも下方に位置し、
その先端を含む座部の先端縁に、紐状又はベルト状をなし、座部の下方に所在する駆動装置に巻かれた牽引具の一端部を取り付け、
前記駆動装置を作動させることにより座部の前端部を湾曲させるとともに、
前記座部は、前記駆動装置に巻かれた牽引具の牽引を緩め牽引具の一端部を前方に移動させた状態で座面の奥行き寸法が大きくなるものであることを特徴とする椅子。
【請求項２】
前記駆動装置は、前記可動部を大きく湾曲させた状態と該可動部を大きく湾曲させない状態との間の適宜の状態を任意に設定することができるものである請求項１記載の椅子。
【請求項３】
サポート部材の少なくとも前端部に、座部の幅方向に延びる複数のスリットを形成し、これらスリットを前後方向に連続的に配置していることを特徴とする請求項１または２記載の椅子。
【発明の詳細な説明】
【０００１】
【発明の属する技術分野】
本発明は、着座者の体格に応じて快適に座ることができる椅子に関するものである。
【０００２】
【従来の技術】
一般に、椅子の座面における奥行き寸法が着座者の体格と比較して長すぎたり短すぎたりすると、窮屈な姿勢で座らなければならない。そこで従来より、座部と背もたれ部とを具備する椅子において、座部又は背もたれ部のいずれかを前後移動させることによって、着座者の体格に対応して腰を降ろすことができる座部の奥行き方向の範囲を拡縮し得るようにした構成の椅子が知られている。
【０００３】
ところが、このような構成のものであると、座部や背もたれ部そのものを移動させるための構造が大型化したり複雑化して、椅子全体の構造の大型化や複雑化を招いたり重量が嵩むなどの不具合が生じることになる。また、背もたれ部を具備しない椅子においては、そもそも上記のような構造によっては座面の奥行き寸法を変更することができないため、その椅子が着座者の体格に合っていないと窮屈な座り心地を強いられることになり、そのような不具合を回避するには着座者個人の体格に対応した椅子を入手しなければならないことになる。そこで、背もたれ部のあるなしに関わらず、座部における座面の奥行き寸法を着座者に合わせて容易に変更できる椅子が望まれている。
【０００４】
【発明が解決しようとする課題】
本発明は、特に座部の前端部における構造を改良工夫することによって、着座者の体格に応じて座面の奥行き寸法を簡便に変更できる椅子を構成することを目的としている。
【０００５】
【課題を解決するための手段】
すなわち、本発明の椅子は、着座者が腰掛けるための座面を有する座部を具備してなり、座部の前端部に、該前端部における上面の奥行き寸法を変更するように動作する可動部を形成し、その可動部を駆動することによって座面全体の奥行き寸法を変更し得るように構成しているものであって、座部が、上面に座面を設定した可撓変形可能な座本体と、座本体を支持するとともに前端部を下方乃至後方へ湾曲し得るサポート部材とを具備するものであって、座本体及びサポート部材の前端部を前記可動部として設定し、サポート部材の湾曲に対応して座本体の前端部がサポート部材と一体的に湾曲し得るように構成しており、サポート部材の前端部は下方に向けて湾曲し、その前端部の先端は湾曲しない部分のサポート部材よりも下方に位置し、その先端を含む座部の先端縁に、紐状又はベルト状をなし、座部の下方に所在する駆動装置に巻かれた牽引具の一端部を取り付け、前記駆動装置を作動させる事により座部の前端部を湾曲させるとともに、前記座部は、前記駆動装置に巻かれた牽引具の牽引を緩め牽引具の一端部を前方に移動させた状態で座面の奥行き寸法が大きくなるものであることを特徴とする。
【０００６】
上記のような構成の椅子であれば、この椅子が背もたれ部を備えているか否かに関わらず、着座者の体格に合わせて座部の前端部に形成した可動部を動作させると、座面の奥行き寸法を容易に変更できることになるため、着座者は快適に座ることができることとなる。
【０００７】
また、前記駆動装置は、前記可動部を大きく湾曲させた状態と該可動部を大きく湾曲させない状態との間の適宜の状態を任意に設定することができるものであることが好ましい。
【０００８】
この場合、サポート部材の座本体に対する支持強度を維持しつつ適切に湾曲し得るようにするためには、サポート部材の少なくとも前端部に、座部の幅方向に延びる複数のスリットを形成し、これらスリットを前後方向に連続的に配置していることが好ましい。
【０００９】
【００１０】
【００１１】
【００１２】
【００１３】
【００１４】
【発明の実施の形態】
以下、本発明の一実施形態を、図１及び図２を参照して説明する。
【００１５】
＜実施形態＞図１及び図２に示す本実施形態に係る椅子Ａは、着座者が腰掛けるための座部１及び背中を凭れ掛けるための背もたれ部５を備え、それらを床面に接地する支持体６によって支持させた構成のものである。なお、背もたれ部５及び支持体６については、従来のものと同様であるため説明を省略する。
【００１６】
以下、座部１について具体的に説明する。この座部１は、可撓性及びクッション性を有する座本体２と、この座本体２を支持するサポート部材３とから構成している。座本体２は、布製等の張り地（いずれも図示は省略する）を設けた平板状をなすものであり、その上面を座面Ｓとして設定している。一方、サポート部材３は、座本体２の裏面側において前後に延びる合成樹脂製のものであり、少なくとも前端部３１が弾性を有するようにしている。また、その前端部３１における下向面には、座本体２の幅方向に延びる複数のスリット３２を形成しており、それらスリット３２を前後方向に連続的に並べている。さらにこのサポート部材３の前端部３１は下方に向けて緩く湾曲させており、その先端３１ａには紐状又はベルト状をなす牽引具４１の一端部４１ａを取り付けている。この牽引具４１の他端部４１ｂは、座本体２の下方における適宜位置に設けた駆動装置４に取り付けている。この駆動装置４は内部に図示しない巻き取り機構を備えており、駆動装置４を作動させるとこの駆動装置４に巻かれた牽引具４１が巻き取り機構によって巻き取られるようにしている。なお、サポート部材３の前端部３１における湾曲に伴って、座本体２の前端部２１も同様に湾曲させている。
【００１７】
したがって、駆動装置４を作動すると、牽引具４１によって後方に引き寄せられたサポート部材３の前端部３１が、弾性に抗してさらに後方へ引き寄せられることとなり、サポート部材３に取り付けた座本体２もそれに伴ってさらに後方へと湾曲することになる。このようにロール状に湾曲するように動作する座本体２の前端部２１及びサポート部材３の前端部３１を、本実施形態では可動部Ｘ１として設定している。なお、サポート部材３は、その前端部３１における下向面に複数のスリット３２を形成しているため、無理なく容易に湾曲させることができる。そして、駆動装置４による牽引具４１の巻き取り状態を解除すると、サポート部材３がその弾性によって元の状態に戻るため、座本体２もそれに従って元通りの状態となる。このような座本体２及びサポート部材３の動作の結果、着座者の体格が比較的大きい場合には、図１（実線）及び図２（ａ）に示すようにサポート部材３が牽引具４１を駆動装置４に巻き取らせずに、可動部Ｘを大きく湾曲させないで座面Ｓの奥行き寸法を大きく確保すればよく、一方、着座者の体格が比較的小さい場合には、図１（想像線）及び図２（ｂ）に示すようにサポート部材３を牽引具４１によって後方に大きく湾曲させた状態として、座面Ｓの奥行き寸法を小さくすればよい。なお、図２（ａ）の状態と同図（ｂ）の状態との間の適宜の状態で駆動装置４をロックすれば、座面Ｓの奥行き寸法を任意に設定するようにも構成することができる。
【００１８】
このように、本実施形態によれば、駆動装置４を作動させることによって座本体２の前端部２１及びサポート部材３の前端部３１からなる可動部Ｘの湾曲の度合いを変更することで、着座者が実質的に腰を降ろすことができる座面Ｓの奥行き寸法を体格に応じて変更できるため、窮屈な姿勢にならずに快適に座ることができる。しかも、座面Ｓの奥行き寸法の変更は、座部１の前端部の変形にのみ基づいているため、着座者の荷重を主として受ける座面Ｓの中央部から後端部には何ら影響することがないので、着座者は座ったままで座面Ｓの奥行き寸法を変更することが可能である。
【００１９】
＜参考形態＞以降では、座面の奥行き寸法を簡便に変更できる椅子の、本発明とは別の例を示す。図３及び図４に示す参考形態に係る椅子Ｂは、前記実施形態と同様に、着座者が腰掛けるための座部１１０及び背中を凭れ掛けるための背もたれ部１５０を備え、それらを床面に接地する支持体１６０によって支持させた構成のものである。なお、背もたれ部１５０及び支持体１６０についての説明は、前記実施形態と同様に省略する。
【００２０】
以下、座部１１０について具体的に説明する。この座部１１０は、その中央部及び後端部を構成する固定部１２０と、前端部を構成する可動部１３０とを備えている。さらに固定部１２０は、ウレタン素材からなる芯材の周囲に張り地（いずれも図示は省略）を設けたクッション性を有する厚手の座本体１２１と、座本体１２１を支持する固定支持部１２２とから構成している。座本体１２１の上面は、座部１１０の中央部及び後端部を構成する固定座面１２１ｓとして設定している。固定支持部１２２は、座本体１２１の裏面側においてその両側端部に沿って延びる角柱状をなす一対のレール部材１２３からなるものである。一方、可動部１３０は、座本体１２１に略対応する幅寸法を有する薄肉な布地からなる可動座要素１３１と、その可動座要素１３１を支持する可動支持部１３２と、可動支持部１３２の前端部に取り付けられ可動座要素１３１の前端部を支持してその保形性を維持するためのサポート材１３４とから構成している。可動座要素１３１の上面は、前記座面Ｓ１の前端部を構成する可動座面１３１ｓとして設定している。可動支持部１３２は、可動座要素１３１の裏面側における両側端部に取り付けた角パイプ状をなす一対のスライダ１３３からなるものであり、両スライダ１３３の前端部間に亘ってサポート材１３４を取り付けている。また、スライダ１３３の内法寸法は、前記レール部材１２３の外形寸法よりも一回り大きく設定しており、スライダ１３３の後端部１３３ａ側からレール部材１２３の前端部１２３ａを挿入している。そして、これらレール部材１２３及びスライダ１３３によって、そのレール部材１２３に案内させてスライダ１３３をテレスコープ式に前後方向にスライド移動することができるガイド機構Ｙを構成している。なお、スライダ１３３がレール部材１２３から抜け落ちない程度にスライダ１３３の可動範囲を設定するために、適宜の部位に図示しないストッパを設けている。また、スライダ１３３にレール部材１２３を挿入した状態で、可動座要素１３１が座本体１２１の固定座面１２１ｓに重なり合って掛け渡されるようにしており、これら固定座面１２１ｓと可動座面１３１ｓとで、座部１１０の座面Ｓ１を形成するようにしている。
【００２１】
したがって、図３（実線）及び図４（ａ）に示すようにスライダ１３３をレール部材１２３に沿って前方に位置づけると、それに対応して可動座要素１３１も前方に位置づけられて可動座要素１３１と座本体１２１とが重なる部分が小さくなるため、結果として座面Ｓ１の奥行き寸法を大きく確保することができ、体格の大きい着座者が快適に座ることができるようになる。その位置からスライダ１３３を移動して、図３（想像線）及び図４（ｂ）に示すようにスライダ１３３をレール部材１２３に沿って後方に位置づけると、それに対応して可動座要素１３１も後方に移動するため、可動座要素１３１と座本体１２１とが重なる部分が大きくなるため、結果として座面Ｓ１の奥行き寸法を小さくして、体格の小さい着座者が快適に座ることができるようになる。
【００２２】
このように本参考形態の椅子Ｂによれば、可動部１３０をガイド機構Ｙに案内させて固定部１２０に対して前後移動させると、容易に着座者の体格に合わせて座面Ｓ１の奥行き寸法を変更することができる。特に、着座者の荷重を主として受ける座部１１０の中央部及び後端部となる部位を座本体１２１及び固定支持部１２２からなる固定部１２０とするとともに、その固定部１２０ほどには荷重が掛からない座部１１０の前端部を構成する部位を可動座要素１３１及び可動支持部１３２を備えた可動部としているため、着座者にとっては腰を上げずに座ったままの姿勢で座面Ｓ１の奥行き寸法を変更することができる。また、ガイド機構Ｙは固定支持部１２２と可動支持部１３２との間に形成しているので、座り心地には影響を与えずに可動部１３０を適切に動作させることができる。
【００２３】
さらに具体的には、ガイド機構Ｙを、固定支持部１２２を構成するレール部材１２３と、可動支持部１３２を構成しレール部材１２３を相対的に突没させるように収容しつつレール部材１２３に案内されてテレスコープ式に前後にスライド移動するスライダ１３３とから構成しているため、極めて簡素な構成で可動部１３０を前後移動して座面Ｓ１の奥行き寸法を変更することができる。しかもその際、可動座要素１３１を薄い布地からなるものとして、スライダ１３３の前後移動の過程で座本体１２１に重なり合うようにしているため、座本体１２１の上面に設定した固定座面１２１ｓと可動座要素１３１の上面に設定した可動座面１３１ｓとの間に段差が殆ど生じることがなく、略連続する座面Ｓ１が形成されることになり、違和感のない快適な座り心地を実現することができる。
【００２４】
なお、上述した形態に限らず、例えば座部の前端部に可動支持部を形成するとともに、中央部から後端部に亘って固定支持部を形成し、それら可動支持部及び固定支持部によって座面を形成する共通の張り地を支持させて、可動支持部を固定支持部に対して前後移動させるのに伴って張り地も前後方向に伸縮することで、座面の奥行き寸法を変更するようにも構成することができる。また、前記参考形態において、座面の前端部を構成する可動座要素が座本体に重なり合うのではなく、可動支持部の前後移動に対応して可撓性を有する可動座要素が適宜巻き取られることによって、座面の奥行き寸法を変更するようにも構成してもよい。さらに、座部の前端部に形成した可動部は、前記実施形態のように湾曲する構成のものや、前記参考形態のようにスライド移動する構成のもの以外に、前後方向に伸縮可能な構成とすることもできる。
【００２５】
さらにまた、以上に述べた各形態の椅子は背もたれ部を備えたものであるが、上述したように座面の奥行き寸法の変更は座部の構成にのみ基づくものであるため、背もたれ部を有しない椅子についても、上述したものと同様の効果を得ることができる。その他、各部の具体的構成についても上記各形態に限られるものではなく、本発明の趣旨を逸脱しない範囲で種々変形が可能である。
【００２６】
【発明の効果】
本発明は、以上説明したような形態で実施され、以下に記載されるような効果を奏する。
【００２７】
すなわち、本発明の椅子によれば、座部の前端部に形成した可動部を動作させることによって、着座者の体格に合わせて座面の奥行き寸法を容易に変更することができ、快適に座ることが可能である。そしてこのような効果は、椅子の座部の構成にのみ基づくものであるため、この椅子が背もたれ部を備えているか否かを問わずに奏し得るものである。
【００２８】
【００２９】
【００３０】
【００３１】
【００３２】
【００３３】
【００３４】
【図面の簡単な説明】
【図１】  本発明の一実施形態を示す斜視図。
【図２】  同実施形態を側面視状態で概略的に示す作用説明図。
【図３】  座面の奥行き寸法を変更できる椅子の参考形態を示す斜視図。
【図４】  同参考形態を側面視状態で概略的に示す作用説明図。
【符号の説明】
Ａ、Ｂ…椅子
Ｓ、Ｓ１…座面
Ｘ…可動部
Ｙ…ガイド機構
１、１１０…座部
２、１２１…座本体
３…サポート部材
２１…前端部
３１…前端部
３２…スリット
１２０…固定部
１２２…固定支持部
１２３…レール部材
１３０…可動部
１３１…可動座要素
１３２…可動支持部
１３３…スライダ
【図１】
0004530515.tif 000002
【図２】
0004530515.tif 000003
【図３】
0004530515.tif 000004
【図４】
0004530515.tif 000005